(57)【要約】      （修正有）【課題】天井裏が狭いスペースであっても、天井の下方から天井バーに容易に取り付け、取り外し可能なシステム天井用器具を提供する。【解決手段】システム天井用器具１は、互いに対向する一対の側面部１０を有し、並行して配設された一対の天井バー２のそれぞれに側面部１０が隣接するように天井に配設される器具本体６と、天井バー２に係止する係止部２２を有する。さらに、側面部１０側から外方に突出するように器具本体６内に回転可能に設けられ、係止部２２が外方に突出しているときに天井バー２に係止して器具本体６を一対の天井バー２、２に取り付ける係止体７と、係止部２２が外方に突出する方向に係止体７を弾性付勢する弾性体８と、を具備している。【選択図】図１
2016189280.tif 000002
【特許請求の範囲】
【請求項１】
互いに対向する一対の側面部を有し、並行して配設された一対の天井バーのそれぞれに前記側面部が隣接するように天井に配設される器具本体と；  天井バーに係止する係止部を有し、前記側面部側から外方に突出するように前記器具本体内に回転可能に設けられ、前記係止部が外方に突出しているときに前記天井バーに係止して前記器具本体を前記一対の天井バーに取り付ける係止体と；  前記係止部が外方に突出する方向に前記係止体を弾性付勢する弾性体と；を具備していることを特徴とするシステム天井用器具。
【請求項２】
前記器具本体には、前記一対の側面部の各両端部間に互いに対向する一対の周面部が設けられており、この一対の周面部のそれぞれの両端外面側に前記係止体が設けられていることを特徴とする請求項１記載のシステム天井用器具。
【発明の詳細な説明】
【技術分野】
【０００１】
本発明の実施形態は、建物のシステム天井に取り付けられるシステム天井用器具に関する。
【背景技術】
【０００２】
システム天井は、建物の天井スラブなどから垂下した吊ボルトによって支持された天井枠組体に規格化された天井パネルを取り付け、離間対向する一対の天井バー（Ｔバー）に照明器具などの規格化されたシステム天井用器具を取り付けている。システム天井は、オフィスなどの天井として多用されている。そして、システム天井用器具は、その取付具が吊ボルトによって支持される天井バーの頭部（吊持部）に取り付けられることにより、一対の天井バーの間に取り付けられている（例えば特許文献１参照。）。  
【０００３】
このようなシステム天井用器具は、天井バーを主体として形成した器具取付用の開口部に、例えばシステム天井用器具を垂直や斜めにして天井裏に入れ、次に、水平かつ天井バーに平行となるように位置を直してから、取付具を一対の天井バーの頭部に落とし込むようにしてシステム天井に取り付けている。また、システム天井用器具をシステム天井から取り外すには、持ち上げて一対の天井バーから取り外した後、垂直や斜めにして、器具取付用の開口部から取り出している。
【先行技術文献】
【特許文献】
【０００４】
【特許文献１】特開２０１４−７２０７５号公報（第４頁、第４図）
【発明の概要】
【発明が解決しようとする課題】
【０００５】
しかしながら、上述のような構成では、少なくとも取付具が天井バーよりも天井裏側となるようにシステム天井用器具を持ち上げるので、天井裏に十分なスペースが必要である。また、天井裏に梁などの干渉物があると、システム天井用器具が取り付けられなくなるおそれがある。
【０００６】
本発明の実施形態は、天井裏が狭いスペースであっても、天井の下方から天井バーに容易に取り付け、取り外し可能なシステム天井用器具を提供することを目的とする。
【課題を解決するための手段】
【０００７】
本実施形態のシステム天井用器具は、器具本体、係止体および弾性体を有して構成される。器具本体は、互いに対向する一対の側面部を有している。そして、器具本体は、並行して配設された一対の天井バーのそれぞれに側面部が隣接するようにして天井に配設される。  
【０００８】
係止体は、天井バーに係止する係止部を有している。係止体は、係止部が器具本体の側面部側から外方に突出するように器具本体内に回転可能に器具本体に設けられている。そして、係止体は、係止部が外方に突出しているときに天井バーに係止して器具本体を一対の天井バーに取り付ける。  
【０００９】
弾性体は、係止部が外方に突出する方向に係止体を弾性付勢する。
【発明の効果】
【００１０】
本実施形態のシステム天井用器具によれば、係止体の係止部が器具本体内に回転されることにより、器具本体を一対の天井バーの間に挿入可能であるので、天井裏が狭いスペースであっても、器具本体を天井の下方から天井に容易に取り付け、取り外しできることが期待できる。
【図面の簡単な説明】
【００１１】
【図１】本発明の一実施形態を示すシステム天井用器具の一部切り欠き概略側面図である。
【図２】同上、システム天井用器具の概略側断面図である。
【図３】同上、システム天井用器具の下方から見た概略一部分解斜視図である。
【図４】同上、システム天井用器具の天井バーへの取り付けを示す説明図である。
【発明を実施するための形態】
【００１２】
以下、本発明の一実施の形態について、図面を参照して説明する。  
【００１３】
本実施形態のシステム天井用器具１は、天井としてのシステム天井に取り付けられるシステム天井用照明器具であり、図１〜図４に示すように構成されている。システム天井用器具１は、図１に示すように、並行して配設された一対の天井バー２，２に設けられることにより、システム天井に配設される。システム天井における天井バーは、Ｔバーとも称されており、その具体的な形状、サイズおよび材質などは、メーカーによって多様であるが、以下に述べる基本的構造において共通している。  
【００１４】
天井バー２は、例えばアルミ材やステンレス鋼からなる平板を折曲して形成されており、垂直部３の上端側に吊持部４が形成され、垂直部３の下端側にレール部５が形成されている。吊持部４は、断面略ロ形に形成され、建物の天井から垂下したボルトにハンガー等によって長手方向の複数箇所で吊持されている。これによって、天井バー２は、建物の天井に吊り下げられている。また、レール部５は、垂直部３の長手方向と直交する方向の両側に垂直部３から所定長延在してほぼ直角に垂下し、さらに互いに向き合うように折り返されて形成されている。  
【００１５】
システム天井用器具１は、図３に示すように、器具本体６、係止体７および弾性体８を有して形成されている。  
【００１６】
器具本体６は、例えば冷間圧延鋼板により、天板部９を有する正四角形の箱状に形成されている。すなわち、器具本体６は、それぞれ対向する一対の側面部１０，１０およびこの一対の側面部１０，１０の各両端部間に互いに対向する一対の周面部１１，１１が設けられている。器具本体６は、図１に示すように、一対の側面部１０，１０が一対の天井バー２，２のそれぞれに隣接するように、図２に示すように、一対の周面部１１，１１が一対の天井バー２ａ，２ａのそれぞれに隣接するようにしてシステム天井に配設されている。  
【００１７】
そして、器具本体６は、図３に示すように、一対の周面部１１，１１にそれぞれ係止体７および弾性体８が設けられ、図２に示すように、内部に発光モジュール１２および設備プレート１３などを設けている。  
【００１８】
発光モジュール１２は、長尺の基板１４およびこの基板１４に実装されたＬＥＤ１５を有して形成されている。ＬＥＤ１５は、発光モジュール１２の光源であり、例えば白色光を放射するパッケージ品からなり、基板１４の一面側に長手方向に沿って等間隔にかつ複数列に設けられている。発光モジュール１２の前面側には、発光モジュール１２を覆う透光性のカバー１６が設けられている。また、発光モジュール１２の放射光を反射する反射板１７が設けられている。発光モジュール１２、カバー１６および反射板１７は、器具本体６に結合している取付板１８にそれぞれねじ等により取り付けられている。  
【００１９】
また、カバー１６と器具本体６の四角形状の開口１９との間には、例えば白色バッフル片２０を備える枠体２１が設けられている。また、天板部９の内面側には、電源ユニットＥＢが設けられている。電源ユニットＥＢは、発光モジュール１２のＬＥＤ１５を点灯する点灯回路を内蔵している。  
【００２０】
発光モジュール１２および枠体２１は、器具本体６の一対の周面部１１，１１間の両側にそれぞれ設けられているとともに、一対の周面部１１，１１に沿って設けられている。また、設備プレート１３は、一対の周面部１１，１１間の中間に設けられている。  
【００２１】
器具本体６は、対向する一対の天井バー２，２および一対の天井バー２，２に交差して対向する一対の天井バー２ａ，２ａによって囲まれる領域内に配置可能な大きさに形成されている。そして、器具本体６は、本実施形態では、一対の周面部１１，１１の長手方向の両端外面側にそれぞれ係止体７が設けられている。  
【００２２】
係止体７は、図３に示すように、所定の厚さを有する金属製の平板により形成され、係止部２２、当接部２３および軸孔２４が設けられている。係止部２２は、図４（ｃ）に示すように、天井バー２の吊持部４を被る大きさを有する切り欠きからなり、切り欠きの上辺側が吊持部４に載置される。これによって、係止体７を天井バー２に係止させる。  
【００２３】
当接部２３は、平板の一部端からほぼ直角に折曲された突出片に形成されたものであり、弾性体８が当接する。係止体７は、当接部２３において弾性体８を押圧するとともに、弾性体８から弾性体８の復元力によって弾性付勢される。また、軸孔２４は、ねじ２５を挿通する孔である。係止体７は、ねじ２５を回転軸として回転する。そして、本実施形態では、係止体７は、図１に示すように、弾性体８により、係止部２２が器具本体６の側面部１０から外方に突出するように設けられているとともに、器具本体６内に回転可能に設けられている。  
【００２４】
係止体７は、係止部２２が外方に突出しているときに天井バー２に係止することにより、器具本体６を一対の天井バー２，２に取り付ける。  
【００２５】
弾性体８は、図３に示すように、金属線を巻回して形成されたＶばねに形成されている。弾性体８の挿通孔２６には、係止体７の軸孔２４を通したねじ２５が挿通されている。そして、ねじ２５が器具本体６の周面部１１に設けられたねじ孔２７に取り付けられている。これにより、係止体７および弾性体８は、器具本体６の周面部１１に設けられている。  
【００２６】
そして、器具本体６には、固定板２８が取り付けられている。固定板２８は、Ｌ形の平板からなり、上板部２８ａに設けた取付孔２９ａを通したねじ３０が器具本体６の天板部９にねじ込まれて取り付けられている。弾性体８は、その一端側８ａが係止体７の当接部２３に当接し、その他端側８ｂが固定板２８の上板部２８ａに当接している。この状態で、弾性体８には復元力が発生しており、復元力は、固定板２８および係止体７にそれぞれ作用する。固定板２８は、器具本体６に固定されているので、復元力は、係止体７を回転させて、係止部２２を器具本体６の側面部１０から外方に突出させている。すなわち、本実施形態では、弾性体８は、係止体７の係止部２２が器具本体６の側面部１０側から外方に突出する方向に係止体７を弾性付勢できるように設けられている。  
【００２７】
また、固定板２８の側板部２８ｂには、ねじ２５の挿通孔２９ｂが設けられている。ねじ２５は、側板部２８ｂの挿通孔２９ｂ、係止板７の挿通孔２４および弾性体８の挿通孔２６を通って器具本体６の周面部１１のねじ孔２７にねじ込まれている。固定板２８の側板部２８ｂは、器具本体６の周面部１１との間で、係止体７が回転可能に、係止体７および弾性体８を挟持している。  
【００２８】
図１および図２において、天井バー２，２および天井バー２ａ，２ａは、器具本体６が取り付けられた反対側において、例えば天井パネル３１を配設している。天井パネル３１は、比較的厚みを有する四角体に形成され、天井バー２，２ａのレール５に支持されている。  
【００２９】
次に、図４を参照して、本実施形態の作用について述べる。  
【００３０】
システム天井用器具１は、一対の天井バー２，２および一対の天井バー２ａ，２ａで形成される四角形状の開口からシステム天井に挿入されて一対の天井バー２，２に取り付けられる。まず、器具本体６を持ち上げて、天井バー２，２付近において、電源ユニットＥＢに電気接続されて器具本体６の天板部９から導出しているリード線を交流電源からの電源線に接続する。  
【００３１】
そして、器具本体６を一対の天井バー２，２間および一対の天井バー２ａ，２ａ間に持ち上げる。このとき、係止体７は、図４（ａ）に示すように、弾性体８に弾性付勢されて器具本体６の側面部１０から外方に突出している。このまま、器具本体６を持ち上げると、係止体７が天井バー２のレール部５および吊持部４に当接して挿入できない。そこで、例えば平板からなる押圧板により、係止体７の下端側７ａを押圧する。  
【００３２】
係止体７は、押圧板の押圧によって、図４（ｂ）に示すように、ねじ２５を回転軸として器具本体６内に回転する。弾性体８は、係止体７の当接部２３において一端側８ａが押圧されて、一端側８ａおよび他端側８ｂが狭まるように変形する。弾性体８には、押圧板の押圧に対抗する復元力が発生する。  
【００３３】
そして、係止体７と天井バー２との間には隙間が形成されるので、器具本位６を一対の天井バー２，２間および一対の天井バー２ａ，２ａ間に持ち上げることが可能となる。そして、器具本体６を持ち上げて、係止体７の係止部２２が天井バー２の吊持部４よりも上方となったときに、押圧板による押圧を解除する。係止体７は、弾性体８の復元力により、係止部２２が器具本体６の側面部１０側から外方に突出する。この状態で、器具本体６を持ち下げると、図４（ｃ）に示すように、係止体７の係止部２２が天井バー２の吊持部４に載置される。器具本体６の各係止部７は、器具本体６の自重によって、一対の天井バー２，２に係止する。  
【００３４】
こうして、システム天井用器具１は、一対の天井バー２，２に係止されて、システム天井に配設される。システム天井用器具１は、係止体７の係止部２２が天井バー２の吊持部４よりも少し上方となるように持ち上げれば天井に配設できるので、天井裏に十分なスペースがなくても天井に配設できる。  
【００３５】
そして、システム天井用器具１を一対の天井バー２，２から取り外すには、器具本体６を持ち上げて、係止体７の下端側７ａと天井バー２のレール部５との間から押圧板を挿入し、係止体７の下端側７ａを器具本体６側に押圧する。係止体７は、器具本体６内に回転する。係止体７と天井バー２との間に隙間が形成され。この状態で、器具本体６を持ち下げることにより、システム天井用器具１は、システム天井から取り外れる。  
【００３６】
本実施形態のシステム天井用器具１によれば、係止体７の係止部２２が器具本体６内に回転されることにより、器具本体６を一対の天井バー２，２の間に挿入可能であるので、天井裏が狭いスペースであっても、器具本体６を天井の下方から天井に容易に取り付け、取り外しできるという効果を有する。  
【００３７】
また、器具本体６は、一対の側面部１０，１０の各両端部間に設けられた互いに対向する一対の周面部１１，１１のそれぞれの両端外面側に係止体７を設けるので、係止体７を簡素な構造で設けることできるという効
果を有する。  
【００３８】
なお、本実施形態において、システム天井用器具１は、システム天井用照明器具で説明したが、これに限らず、電気機器、音響機器、空調機器や消防機器などを具備する構成であってもよい。  
【００３９】
また、係止体７は、器具本体６の一対の周面部１１，１１に設けたが、一対の側面部１０，１０に設けてもよい。この場合、係止体７は、器具本体６の内部に回転可能に設けられる。  
【００４０】
また、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４１】
１…システム天井用器具としてのシステム天井用照明器具、  ６…器具本体、  ７…係止体、  ８…弾性体、  １０，１０…一対の側面部、  １１，１１…一対の周面部、  ２２…係止部
【図１】
2016189280.tif 000003
【図２】
2016189280.tif 000004
【図３】
2016189280.tif 000005
【図４】
2016189280.tif 000006